(57)【特許請求の範囲】
【請求項１】
荷物を載せる載置台と、人力によって移動させるためのハンドルとを備える台車であって、
該載置台は、二段構造となっており、上段には、液体を収容しているタンクを置くタンク載置台と、
該タンク載置台に該タンクを出し入れするための開口部と、
該開口部側以外に面した該タンクの側面を囲繞する２つのタンク包囲部と、
該開口部を閉鎖し該タンクの脱落を防止する脱落防止部と、
該タンク載置台に形成され液体を通す貫通孔と、を備え、
該載置台の下段には、液体を受け止める受け皿部が形成され、
各タンク包囲部には、台車の前側と後側とに離間する開口部をそれぞれ設け、該開口部のそれぞれを介して該タンクの出し入れを可能とした
台車。
【請求項２】
前記ハンドルは、前記載置台の前側又は後側に差し替え可能であり、該ハンドルを差し替え、向きを反転させて、該ハンドルを差した側の反対側の開口部をタンク交換対象の装置に近接させる
請求項１記載の台車。
【発明の詳細な説明】
【技術分野】
【０００１】
本発明は、液体が収容されたタンクを運搬する際に用いる台車に関する。
【背景技術】
【０００２】
各種装置に液体を供給する液体供給装置においては、液体が収容された液体収容容器（タンク）が装着されており、ポンプにより液体を必要とする装置（例えば、研磨装置）に液体を供給している。
【０００３】
液体供給装置に装着されたタンクは、タンク内の液体が無くなると、液体が収容された新たなタンクと交換される。例えば、タンク内の液体が、研磨装置において使用される研磨液（スラリー）のように人体に危険を及ぼす有害物質を含むものである場合には、液体を保管する保管庫において、液体を収容したタンクを台車に載せ液体供給装置まで運搬している。
【０００４】
台車の種類は多様であり、例えば、特許文献１には、液体が収容された容器の運搬用台車が開示されている。また、特許文献２には、水耕栽培を行う施設において使用され水耕栽培用のパレットが複数積層された水耕栽培用台車が開示されている。
【先行技術文献】
【特許文献】
【０００５】
【特許文献１】特開２００３−１１８５７９号公報
【特許文献２】特開２０１０−２５２７３７号公報
【発明の概要】
【発明が解決しようとする課題】
【０００６】
しかしながら、タンクを台車に載せて移動させる際に、タンクに亀裂が入っていた場合やタンクのタンクキャップを閉め忘れた場合には、タンクの運搬中に液体がこぼれる危険性があり、万が一こぼれた液体が人体に付着してしまうと、人体に悪影響をもたらすことが想定される。
【０００７】
本発明は、上記の事情に鑑みてなされたものであり、タンクの交換時及び運搬時において、タンク内から液体がこぼれたとしても、台車の外側へ液体がこぼれることを防止することに発明の解決すべき課題がある。
【課題を解決するための手段】
【０００８】
本発明は、荷物を載せる載置台と、人力によって移動させるためのハンドルとを備える台車であって、該載置台は、二段構造となっており、上段には、液体を収容しているタンクを置くタンク載置台と、該タンク載置台に該タンクを出し入れするための開口部と、該開口部側以外に面した該タンクの側面を囲繞する２つのタンク包囲部と、該開口部を閉鎖し該タンクの脱落を防止する脱落防止部と、該タンク載置台に形成され液体を通す貫通孔と、を備え、該載置台の下段には、液体を受け止める受け皿部が形成され、各タンク包囲部には、台車の前端部と後端部とに離間する開口部をそれぞれ設け、該開口部のそれぞれを介して該タンクの出し入れを可能としている。
【０００９】
前記ハンドルは、前記載置台の前側又は後側に差し替え可能であり、該ハンドルを差し替え、向きを反転させて、該ハンドルを差した側の反対側の開口部をタンク交換対象の装置に近接させることが望ましい。
【発明の効果】
【００１０】
本発明では、載置台が二段構造となっており、上段には、液体を収容しているタンクを置くタンク載置台と、タンク載置台にタンクを出し入れするための開口部と、開口部側以外に面したタンクの側面を囲繞するタンク包囲部と、開口部を閉鎖しタンクの脱落を防止する脱落防止部と、タンク載置台に形成され液体を通す貫通孔と、を備え、載置台の下段には、液体を受け止める受け皿部が形成されているため、タンクの運搬時及び交換時に、タンクから液体がこぼれた場合であっても、こぼれた液体が貫通孔を通じ下段の受け皿部で受け止められるため、台車から液体がこぼれるのを防止することができる。したがって、タンクからこぼれた液体が人体に付着することはない。
【００１１】
さらに、本発明では、タンク載置台に２つのタンク包囲部が配設され離間する開口部を２つ備えているため、台車に２つのタンクを載せることが可能となる。したがって、タンクを交換する際に、使用済みのタンクを直接台車に載せるとともに、液体が収容された新たなタンクを液体供給装置に載せることができるようになり、タンクの交換が容易になる。
【図面の簡単な説明】
【００１２】
【図１】台車の構成を示す側面図である。
【図２】台車の構成を示す正面図である。
【図３】台車の構成を示す平面図である。
【図４】タンクの運搬動作の説明図である。
【図５】使用済みのタンクを台車に載せる動作の説明図である。
【図６】タンクの前後を切り替える動作の説明図である。
【図７】新たなタンクを液体供給装置に載せる動作の説明図である。
【発明を実施するための形態】
【００１３】
１  台車の構成
図１及び図２に示す台車１は、液体が収容されたタンク１０Ａを運搬するのに用いる台車である。台車１は、荷物を載せる載置台２と、載置台２を支持する底板３と、載置台２に対して人力によって移動させるためのハンドル４と、複数の車輪５ａ及び車輪５ｂとを備えている。なお、タンク１０Ａは、液体を収容する容器であって、上面にタンクキャップ１０ａを備え、載置台２に載置される。そして、台車１において、載置台２にタンク１０Ａが載置されている方が前側３０となっており、タンク１０Ａが載置されていない方が後側３１となっている。
【００１４】
図１に示すように、ハンドル４は、その下端が底板３に形成されたハンドル差し込み部４０を通じて後側３１の載置台２に差し込まれている。また、図２に示すように、ハンドル４の上端は、角が曲げられて水平方向に架設されており、作業者が掴持することができるように構成されている。
【００１５】
底板３の下部の両端には、車輪５ａ及び車輪５ｂがそれぞれ２輪ずつ配設されている。また、この２輪の間にストッパ６ａ及びストッパ６ｂが配設されている。そして、作業者の人力を動力源として車輪５ａ及び車輪５ｂを駆動させ、台車１を進退移動させることができる。ストッパ６ａ及びストッパ６ｂは、昇降可能となっており、地面に当接でき台車１を地面に固定させることができる。
【００１６】
図２に示すように、載置台２は、二段構造となっており、上段２ａと下段２ｂとによって構成されている。載置台２の上段２ａには、タンク１０Ａを載置するタンク載置台２０と、タンク１０Ａを出し入れするための開口部２１と、開口部２１側以外に面したタンク１０Ａの側面を囲繞するタンク包囲部２２と、開口部２１を閉鎖しタンク１０Ａの脱落を防止する脱落防止部２３と、タンク載置台２０に形成され液体を通す貫通孔２４とを備えている。一方、載置台２の下段２ｂには、液体を受け止め収容できる受け皿部２５を備えている。
【００１７】
図３に示すように、タンク包囲部２２は、背板２２０に連接し対面する一対の側板２２１を備えている。また、タンク包囲部２２は、背板２２０と対面する一方の面が開口しており、この開口した領域が図２に示したタンク１０Ａを出し入れ可能とする開口部２１となっている。そして、タンク包囲部２２の背板２２０及び側板２２１によって、開口部２２１側以外に面したタンク１０Ａの側面を囲繞することができる。
【００１８】
図３に示すように、タンク包囲部２２の上面には、開口部２１を閉鎖するために脱落防止部２３が備えてある。脱落防止部２３は、対面する一対の側板２２１間にかけわたされたワイヤーにより構成されている。このように、脱落防止部２３を設けることにより、移動中の台車１において、タンク１０Ａが開口部２１側へ移動してきても脱落防止部２３に引っかかるため、台車１からタンク１０Ａが脱落することを防止できる。
【００１９】
図３に示すように、実施形態の台車１では、タンク載置台２０に、上記同様のタンク包囲部２２が２つ配設されている。２つのタンク包囲部２２は、タンク載置台２０において２つの背板２２０の背面を密着させ、互いに背を向けるようにして配設され、開口部２１を２つ備えている。したがって、タンク載置台２０には、２つのタンクが載置可能となっている。
【００２０】
図３に示すように、タンク載置台２０の上面には、液体を通す貫通孔２４と、支持板９とが交互に並行に複数備えてある。図２に示すように、支持板９は、貫通孔２４よりも高い位置に形成されており、タンク載置台２０は凹凸構造となっている。そして、タンク１０をタンク載置台２０に載せると、支持板９によりタンク１０Ａの底面が支持される。貫通孔２４は、上段２ａからこぼれ落ちてくる液体を通す空隙となっており、タンク載置台２０の下段２ｂに形成された受け皿部２５に連通している。
【００２１】
図２に示すように、受け皿部２５は、液体を受け止めて収容することができる空間を有している。具体的には、受け皿部２５は、タンク１０Ａに収容された全ての液体がこぼれた場合でも受け止め収容できるように、タンク一個分以上の液体を収容できる容積を有している。
【００２２】
図３に示すように、タンク載置台２０の受け皿部２５の側部には、開閉バルブ７を介して排水口８が形成されている。そして、受け皿部２５に滞留した液体は、開閉バルブ７通じて排水口８から外側へ排水される。
【００２３】
図４に示す液体供給装置１１は、不図示の加工装置に液体を供給する液体供給装置であり、タンク１０Ａを装着できるタンク装着台１２を備えている。タンク装着台１２の高さは、台車１のタンク載置台２０の高さと略同一となっているため、タンク装着台１２とタンク載置台２０とが近接した状態において、タンク１０Ａをタンク装着台１２とタンク載置台２０との間でスライド移動させることができる。
【００２４】
２  台車の動作例
以下に、台車１による複数のタンクの運搬動作及び交換動作について説明する。なお、実施形態に示すタンクが、例えば研磨装置に液体を供給する液体供給装置に使用される場合、タンクに収容される液体としては、研磨液（スラリー）などがある。
【００２５】
（１）台車によるタンクの運搬動作
液体供給装置１１にタンク１０Ａを運搬する一連の動作例を説明する。まず、図４に示すように、液体が収容されたタンク１０Ａを前側３０のタンク載置台２０に載置し、タンク包囲部２２によって、開口部２１側以外のタンク１０Ａの側面を囲繞する。次いで、タンク包囲部２２から露出したタンク１０の側面部分を支えるように脱落防止部２３をかけわたして、開口部２１を閉鎖する。その結果、図４に示すように、台車１からタンク１０Ａが脱落しないように積載される。
【００２６】
不図示の作業者は、ハンドル４を掴持し、台車１を液体供給装置１１に近接するまで進行方向Ａに移動させる。台車１を移動させる際、例えばタンク１０Ａの側面の一部分に亀裂が生じていた場合には、タンク１０Ａ内の液体が亀裂からこぼれることが想定されるが、実施形態に示す台車１によれば液体を台車１からこぼれることを防止できる。具体的には、タンクの亀裂から液体がこぼれたとしても、図３に示した貫通孔２４に流れ落ちて、受け皿部２５で受け止められる。仮にタンク１０Ａ内の全ての液体がこぼれた場合でも、受け皿部２５により全て受け止められて収容されるため、液体が台車１からこぼれ落ちる心配はない。したがって、こぼれた液体が人体に付着することもないため、人体に危険が及ぶことはない。
【００２７】
図４に示すように、台車１が液体供給装置１１に近接しタンク装着台１２とタンク載置台２０とが近接すると、ストッパ６ｂを地面に当接し台車１を固定する。次いで、タンク１０Ａを液体供給装置１１に積載するために、脱落防止部２３を解除して、開口部２１を開口させる。その後、タンク１０Ａをタンク装着台１２にスライド移動させ、タンク装着台１２に装着する。このようにして、液体供給装置１１にタンク１０Ａが積載され、タンク１０Ａに収容された液体は、液体供給装置１１によって図示しない加工装置に供給される。そして、タンク１０Ａ内の液体が無くなり、タンク交換時期に達したら液体が収容された新たなタンクと交換する必要がある。
【００２８】
（２）台車によるタンクの交換動作
以下に、使用済みのタンク１０Ａを新たなタンク１０Ｂに交換する動作例について説明する。まず、図５に示すように、液体が収容された新たなタンク１０Ｂを台車１の後側３１のタンク載置台２０に載置し、タンク包囲部２２によって、開口部２１側以外に面したタンク１０Ｂの側面を囲繞する。次いで、タンク包囲部２２から露出したタンク１０Ｂの側面部分を側方から支えるように脱落防止部２３をかけわたし、開口部２１を閉鎖する。そして、進行方向Ａ方向に台車１を液体供給装置１１に近接するまで移動させてタンク装着台１２とタンク載置台２０とが近接したら、ストッパ６ｂを地面に当接し台車１を固定する。
【００２９】
タンク装着台１２に装着されているタンク１０Ａをスライド移動させ開口部２１を通過させる。そして、空いている前側３０のタンク載置台２０にタンク１０Ａを載せて、タンク包囲部２２によって、開口部２１側以外に面したタンク１０Ａの側面を囲繞する。次いで、タンク１０Ａの露出した側面部分を側方から支えるように脱落防止部２３をかけわたし、開口部２１を閉鎖する。
【００３０】
新たなタンク１０Ｂを、液体供給装置１１のタンク装着台１２にスライド移動可能な方向に位置づける。具体的には、図６に示すように、台車１を後退方向Ｂ方向に所定距離移動させ、後側３１の載置台２に差し込まれているハンドル４を人力により引き抜いて、前側３０の載置台２に差し替える。そして、台車１を９０度反転させて前後を切り替えると、図７に示すように、タンク１０Ｂが液体供給装置１１側に位置づけられる。
【００３１】
不図示の作業者は、ハンドル４を掴持し、進行方向Ａ方向に台車１を液体供給装置１１に近接するまで移動させる。タンク装着台１２とタンク載置台２０とが近接したら、ストッパ６ａを地面に当接させ台車１を固定させる。次いで、タンク１０Ｂを液体供給装置１１に積載するために、脱落防止部２３を解除して、開口部２１を開口させる。その後、タンク１０Ｂをタンク装着台１２にスライド移動させ、タンク装着台１２に装着させる。
【００３２】
上記したタンクの交換時においても、タンク１０Ｂから液体がこぼれることが想定されるが、タンクの運搬持と同様に、新たなタンク１０Ｂから液体がこぼれても、図３に示した貫通孔２４に流れ落ちて、受け皿部２５で受け止められる。したがって、液体が台車１からこぼれ落ちる心配はない。したがって、タンク１０Ｂからこぼれた液体が人体に付着することはない。このようにして、液体供給装置１１において使用済みのタンク１０Ａを新たなタンク１０Ｂに交換する。
【００３３】
実施形態に示す台車１では、タンク載置台２０に２つのタンク包囲部２２が互いに背を向けて配設され離間する開口部２１を２つ備えているため、台車１に２つのタンクを載せることが可能となる。したがって、液体供給装置１１において使用されたタンク１０Ａを新たなタンク１０Ｂに交換する際に、使用済みのタンク１０Ａを直接台車１に載せ、新たなタンク１０Ｂを液体供給装置に装着させることができるようになり、タンクの交換が容易となる。
【符号の説明】
【００３４】
１：台車
２：載置台  ２ａ：上段  ２ｂ：下段
２０：タンク載置台  ２１：開口部  
２２：タンク包囲部  ２２０：背板  ２２１：側板
２３：脱落防止部
２４：貫通孔  ２５：受け皿部
３：底板
４：ハンドル  ４０：ハンドル差し込み部
５ａ，５ｂ：車輪
６ａ，６ｂ：ストッパ
７：開閉バルブ
８：排水口
９：支持板
１０Ａ，１０Ｂ：タンク  １０ａ，１０ｂ：タンクキャップ
１１：液体供給装置
１２：タンク装着台
３０：前側  ３１：後側
【図１】
0005829145.tif 000002
【図２】
0005829145.tif 000003
【図３】
0005829145.tif 000004
【図４】
0005829145.tif 000005
【図５】
0005829145.tif 000006
【図６】
0005829145.tif 000007
【図７】
0005829145.tif 000008